(57)【特許請求の範囲】
【請求項１】
複数の物品を包装箱の内部で支持する段ボール製の支持体であって、
板状の第１支持部と、該第１支持部に重合する板状の第２支持部と、前記第１支持部と前記第２支持部とに形成されて物品の一部が貫通する貫通孔と、前記第１支持部と前記第２支持部とを摺動自在な重合状態に保持する保持部とを備え、
前記貫通孔は、物品の一部を貫通させた状態で前記第１支持部と前記第２支持部とを異なる方向に摺動させることにより孔形状が変更されて物品の一部を挟持することを特徴とする支持体。
【請求項２】
前記第１支持部と前記第２支持部とは、上端同士が連結片により一体に連結されて、該連結片を介して互いに折り返されることにより重合状態となり、
前記連結片は、前記第１支持部と前記第２支持部とが重合状態のときに搖動操作することにより前記第１支持部と前記第２支持部とを相対的に摺動させることを特徴とする請求項１記載の支持体。
【請求項３】
前記連結片は、前記第１支持部と前記第２支持部とを折り返したときに折れ曲がる第１折目線と、前記第１支持部との境界に沿って形成された第２折目線と、前記第２支持部との境界に沿って形成された第３折目線とを備え、
前記貫通孔により物品の一部を挟持したとき、前記連結片の前記第２折目線と前記第３折目線とが互いに離間する位置で折れ曲がると共に、前記連結片が第１折目線を介してＶ字状に折れ曲がった状態で前記第２支持部側に位置し、
前記第２支持部側に位置する前記連結片を、前記第２折目線と前記第３折目線とを同時に折れ曲がりを解除するように搖動操作することにより、前記第１支持部と前記第２支持部とが相対的に摺動して前記貫通孔による物品の挟持が解除されることを特徴とする請求項２記載の支持体。
【請求項４】
前記保持部は、前記第１支持部に一体に設けられていることを特徴とする請求項１〜３の何れか１項記載の支持体。
【発明の詳細な説明】
【技術分野】
【０００１】
本発明は、物品を箱内等で支持する支持体に関する。
【背景技術】
【０００２】
従来、包装箱の内部に複数の物品を収容する場合に、各物品を包装箱の内部で支持する支持体が知られている（特許文献１参照）。このものは、段ボール板紙の板面の所定位置にＴ字の切込みを形成しておき、当該切込みに物品の一部を挿入することで物品を支持する。
【０００３】
これにより、輸送等の際に包装箱内部の物品の動きが規制され、物品の損傷を防止することができる。
【先行技術文献】
【特許文献】
【０００４】
【特許文献１】実開昭５０−１３６６８４号公報
【発明の概要】
【発明が解決しようとする課題】
【０００５】
しかし、上記従来の支持体は、段ボール板紙の板面に形成したＴ字の切込みに物品の一部を挿し込むときや、切込みから物品の一部を引き抜くときに比較的大きな力を必要とし、作業性が悪い。更に、切込みよりも大きい物品を挿入して切込みによる支持力を得ているため、一度使用した切込みに緩みが発生して支持力が極度に低下してしまい、再度使用したときに確実に物品を確実に支持することができなくなるおそれがある。
【０００６】
上記の点に鑑み、本発明は、物品を確実に支持することができ、物品の着脱が容易で、耐久性の高い支持体を提供することを目的とする。
【課題を解決するための手段】
【０００７】
本発明は、複数の物品を包装箱の内部で支持する段ボール製の支持体であって、板状の第１支持部と、該第１支持部に重合する板状の第２支持部と、前記第１支持部と前記第２支持部とに形成されて物品の一部が貫通する貫通孔と、前記第１支持部と前記第２支持部とを摺動自在な重合状態に保持する保持部とを備え、前記貫通孔は、物品の一部を貫通させた状態で前記第１支持部と前記第２支持部とを異なる方向に摺動させることにより孔形状が変更されて物品の一部を挟持することを特徴とする。
【０００８】
本発明の支持体は、第１支持部と前記第２支持部とを異なる方向に摺動させることにより貫通孔の形状が変更される。即ち、例えば、第１支持部と第２支持部とに同一形状の貫通孔が形成されているとき、第１支持部の貫通孔と第２支持部の貫通孔とを合致させた状態から、第１支持部と前記第２支持部とを異なる方向に摺動させると、第１支持部の貫通孔と第２支持部の貫通孔との位相がずれて、第１支持部と第２支持部とを貫通する孔形状が小さく変更される。
【０００９】
物品を支持体に支持するときには、先ず、第１支持部の貫通孔と第２支持部の貫通孔とを合致させた状態で両貫通孔に物品の一部を挿通させ、次いで、第１支持部と前記第２支持部とを異なる方向に摺動させる。これにより、変更された形状の貫通孔に物品の一部が挟持されて、物品が支持体に強固に支持される。しかも、従来のように切込みに物品の一部を挿し込む場合に比べて、貫通孔の内周縁の損傷が極めて少なく、支持力が殆ど低下しないので再使用が可能である。
【００１０】
このように、本発明によれば、物品を確実に支持することができ、物品の着脱が容易で、耐久性の高い支持体を提供することができる。
【００１１】
本発明において、前記第１支持部と前記第２支持部とは、上端同士が連結片により一体に連結されて、該連結片を介して互いに折り返されることにより重合状態となり、前記連結片は、前記第１支持部と前記第２支持部とが重合状態のときに搖動操作することにより前記第１支持部と前記第２支持部とを相対的に摺動させることを特徴とする。
【００１２】
本発明によれば、連結片を搖動操作するだけで第１支持部と第２支持部とを摺動させることができる。従って、支持体への物品の取り付け及び取り外しの作業が極めて容易となり、物品の着脱の際の作業性を向上させることができる。
【００１３】
このとき、前記連結片の好ましい構成として、前記第１支持部と前記第２支持部とを折り返したときに折れ曲がる第１折目線と、前記第１支持部との境界に沿って形成された第２折目線と、前記第２支持部との境界に沿って形成された第３折目線とを備え、前記貫通孔により物品の一部を挟持したとき、前記連結片の前記第２折目線と前記第３折目線とが互いに離間する位置で折れ曲がると共に、前記連結片が第１折目線を介してＶ字状に折れ曲がった状態で前記第２支持部側に位置し、前記第２支持部側に位置する前記連結片を、前記第２折目線と前記第３折目線とを同時に折れ曲がりを解除するように搖動操作することにより、前記第１支持部と前記第２支持部とが相対的に摺動して前記貫通孔による物品の挟持が解除されるようにすることが挙げられる。
【００１４】
また、本発明においては、前記保持部を、前記第１支持部に一体に設けることができる。これによれば、部品点数が少なくなって取扱いが容易となる。
【図面の簡単な説明】
【００１５】
【図１】本発明の実施形態の支持体を示す斜視図。
【図２】本実施形態における物品支持部の展開図。
【図３】本実施形態における物品支持部の作動を示す説明的斜視図。
【図４】本実施形態における貫通孔の作動を示す説明図。
【図５】本実施形態における貫通孔の作動を示す説明的断面図。
【図６】他の実施形態の支持体の展開図。
【図７】他の実施形態における物品支持部の作動を示す説明的斜視図。
【発明を実施するための形態】
【００１６】
本発明の実施形態を図面に基づいて説明する。図１に示すように、本実施形態の支持体１は、起立する物品支持部２と、物品支持部２に交差して起立する保持部３とで構成され、物品支持部２に物品Ｗを支持した状態で、図示しない箱体に収容できるようになっている。
【００１７】
物品支持部２は、図２に示すように、段ボール板紙を矩形状に打ち抜いて形成され、第１支持板４と第２支持板５とを備えている。第１支持板４と第２支持板５とは、上縁側が互いに一対の連結片６により連結され、図１に示すように、第１支持板４に第２支持板５が重合して用いられる。
【００１８】
図２に示すように、連結片６には、３つの折目線（第１折目線７、第２折目線８、第３折目線９）が形成されている。第１折目線７は、第１支持板４と第２支持板５とを重合させるときに折り曲げられる。第２折目線８は、第１支持板４と連結片６との境界に形成され、第３折目線９は、第２支持板５と連結片６との境界に形成されている。
【００１９】
連結片６の第１折目線７から第３折目線９にかけての部分は、連結片６が第３折目線９を介して折り曲げられることにより切れ目１０によって第２支持板５から遊離するようになっている。
【００２０】
第１支持板４には、物品Ｗの支持位置に対応して第１貫通孔１１が形成されている。第２支持板５には、第１貫通孔１１とは形状が異なる第２貫通孔１２が形成されている。
【００２１】
また、第１支持板４と第２支持板５との夫々には、スリット１３が一対ずつ形成されている。スリット１３は、第１支持板４と第２支持板５とが重合することで対応する位置に形成されており、図１に示すように、保持部３のスリット１４に係合する。第１支持板４と第２支持板５との重合状態は、保持部３によって維持されており、更に、第２支持板５は第１支持板４に対して重合した状態で摺動自在とされている。
【００２２】
そして、物品支持部２は、説明の便宜上保持部３を取り除いて図３Ａ及び図３Ｂに示すように、第１支持板４と第２支持板５とが重合し起立姿勢で用いられる。即ち、図３Ａに示すように、連結片６の第１折目線７を介して折り曲げて第１支持板４の一側面に第２支持板５を重合させたとき、第１支持板４に対して第２支持板５が上方に位置ずれした状態となる。そして、第１支持板４に対して第２支持板５を下方に移動させ、第２支持板５の上縁を第１支持板４の上縁と同一の位置で重ねると、図３Ｂに示すように、連結片６の第２折目線８と第３折目線９とが互いに離間する位置で折り曲げられて連結片６が第２支持板５側に横倒した姿勢となる。このとき、連結片６は、第１折目線７を介してＶ字状に折れ曲がった状態となる。
【００２３】
このような第２支持板５の移動によって、第１貫通孔１１と第２貫通孔１２とで形成される孔形状が変更される。第１貫通孔１１と第２貫通孔１２とによる孔形状の変化は、図４Ａ及び図４Ｂに示しており、物品Ｗの指示状態については図５Ａ及び図５Ｂに示している。
【００２４】
即ち、図３Ａに示すような第１支持板４と第２支持板５との重合状態のとき、図４Ａに示すように、第１貫通孔１１と第２貫通孔１２とによる孔形状は最大となり、本実施形態では第１貫通孔１１が全開となる。これにより、図５Ａに示すように、物品Ｗの一部を第１貫通孔１１と第２貫通孔１２とに挿通させることができる。
【００２５】
次いで、図３Ｂに示すように第２支持板５を下方に移動させると、図４Ｂに示すように、第２貫通孔１２の上側内縁と第１貫通孔１１の下側内縁とが近づくことにより孔形状が縮小される。これにより、図５Ｂに示すように、物品Ｗの一部を第２貫通孔１２の上側内縁と第１貫通孔１１の下側内縁とで挟み込んで強固な支持状態となる。
【００２６】
そして、物品支持部２から物品Ｗを取り外す場合には、図３Ｂに示した横倒状態の連結片６を起立させるように（第２折目線８と第３折目線９とを同時に折れ曲がりを解除するように）搖動操作する。これにより、第１貫通孔１１と第２貫通孔１２とによる孔形状が最大となり、図５Ａに示すように、物品Ｗの一部の挟持状態が解除されるので、物品支持部２から物品Ｗを取り外すことができる。
【００２７】
このように、本実施形態の支持体１によれば、物品支持部２への物品Ｗの着脱が容易であるだけでなく、物品Ｗの着脱を繰り返しても支持力の低下は殆ど生じない。
【００２８】
なお、本実施形態の支持体１においては、単一の物品支持部２を有するものを示したが、本発明の支持体の他の例としては、図示しないが、保持部３の長さを大として所定間隔を存して複数のスリット１４を形成し、これらのスリット１４の夫々に物品支持部２を係合させることで複数の物品支持部２を備えるように構成してもよい。
【００２９】
また、第１支持板４の第１貫通孔１１及び第２支持板５の第２貫通孔１２は、物品Ｗの形状に応じて設定されるものであり、本実施形態に示した形状に限定されるものではない。
【００３０】
また、本実施形態においては、物品支持部２と保持部３とが別体に形成されている支持体１を示したが、これに限るものではなく、物品支持部２と保持部３とを一体に形成することも可能である。即ち、他の実施形態の支持体１５について説明すれば、図６に示すように、第１支持板１６の両側に、折目線１７及び孔状の切欠き１８を介して一対の保持部１９が連設されている。それ以外の構成は、図１に示した支持体１と同じである（同一符号を付している）。切欠き１８は、図１に示した保持部３のスリット１４に相当するものである。
【００３１】
支持体１５は、次のようにして組み立てられる。先ず、図６に示す展開状態から、両保持部１９を折目線１７に沿って折り曲げて起立させる。次いで、第２支持板５と連結片６との境界の第３折目線９を介して第２支持板５を第１支持板１６に重合させる。このとき、切欠き１８に第２支持板５のスリット１３が係合する。そして、第３折目線９の折り曲げを解除すると同時に連結片６を第１折目線７に沿って折り曲げることで、図７Ａに示すように、支持体１５が組み立てられる。
【００３２】
図７Ａに示す状態において、第１貫通孔１１と第２貫通孔１２とが形成する孔形状は、図４Ａに示す形状と同様である。これにより、図５Ａに示すように、物品Ｗの一部を第１貫通孔１１と第２貫通孔１２とに挿通させることができる。
【００３３】
次いで、図７Ｂに示すように第２支持板５を下方に移動させることで、図４Ｂに示す形状と同様に第２貫通孔１２の上側内縁と第１貫通孔１１の下側内縁とが近づいて孔形状が縮小される。これにより、図５Ｂに示すように、物品Ｗの一部を第２貫通孔１２の上側内縁と第１貫通孔１１の下側内縁とで挟み込み、物品Ｗが支持される。
【符号の説明】
【００３４】
Ｗ…物品、１…支持体、３，１９…保持部、４，１６…第１支持板（第１支持部）、５…第２支持板（第２支持部）、６…連結片、１１…第１貫通孔（貫通孔）、１２…第２貫通孔（貫通孔）。
【図１】
0006321577.tif 000002
【図２】
0006321577.tif 000003
【図３】
0006321577.tif 000004
【図４】
0006321577.tif 000005
【図５】
0006321577.tif 000006
【図６】
0006321577.tif 000007
【図７】
0006321577.tif 000008